(57)【特許請求の範囲】
【請求項１】
調律する弦楽器を選択するための楽器選択手段と、
調律したい音を弦楽器の弦番号として設定するための調律弦選択手段と、
前記調律弦選択手段で選択された弦番号を表示するための調律弦表示手段と、
弦楽器の種類ごとに調律する弦番号に対応する基準ピッチ情報、およびピッチ情報で構成され、調律できる限界値を示す限界情報を格納している記憶手段と、
楽器の音を入力するための楽音入力手段と、
前記楽音入力手段から入力された弦楽器の音のピッチを抽出するピッチ抽出手段と、
前記楽器選択手段および前記調律弦選択手段によって選択された情報に基づき、基準ピッチ情報を読み出して設定する設定手段と、
前記ピッチ抽出手段にて抽出されたピッチが前記限界情報を超えているかを判定する警告判定手段と、
前記ピッチ抽出手段にて抽出されたピッチが前記限界情報を超えていると判定された場合に警告を行うかどうかを選択する警告選択手段と、
前記警告判定手段及び警告選択手段の結果に基づいて警告を行うかどうかの制御をする制御手段と、
前記制御手段にて警告を行うと判断された場合に警告を行う通知手段と、
前記設定手段に格納された前記基準ピッチ情報と、前記ピッチ抽出手段にて抽出された前記ピッチとの偏差を計算する偏差計算手段と、
前記偏差計算手段で計算された偏差の結果を表示する偏差表示手段と、
を具備することを特徴とする調律装置。
【請求項２】
前記限界情報を複数保持していた場合、使用する限界情報を選択するための限界情報選択手段を具備することを特徴とする請求項１に記載の調律装置。
【請求項３】
前記通知手段は、前記調律弦表示手段、または偏差表示手段の表示形態を変化させることによる表示であることを特徴とする請求項１または２に記載の調律装置。
【請求項４】
前記通知手段は、前記限界情報を超えたことを報せるための、警告表示手段であることを特徴とする請求項１から３のいずれか一項に記載の調律装置。
【請求項５】
前記通知手段は、前記限界情報を超えたことを報せるための、警告音発生手段であることを特徴とする請求項１から４のいずれか一項に記載の調律装置。
【請求項６】
前記警告音発生手段によって警告音が発せられている間は、偏差の表示を更新しないことを特徴とする請求項５に記載の調律装置。
【請求項７】
入力された弦楽器の音や楽音信号のピッチを抽出するステップと、
楽器選択手段および調律弦選択手段によって選択された情報に基づき、基準ピッチの情報を読み出すステップと、
抽出したピッチが、ピッチ情報で構成されるとともに、調律できる限界値を示す限界情報を超えているかを判定するステップと、
抽出したピッチが前記限界情報を超えていると判定された場合に警告を行うかどうかを選択するステップと、
前記判定するステップ及び前記選択するステップの結果に基づいて警告を行うかどうかの制御を行い、警告を行うと判断された場合に警告を行うステップと、
抽出したピッチと、基準ピッチ情報との偏差を計算するステップと、
計算された偏差の結果を表示するステップと、
を備えることを特徴とする調律方法。
【請求項８】
入力された弦楽器の音や楽音信号のピッチを抽出するピッチ抽出処理と、
楽器選択手段および調律弦選択手段によって選択された情報に基づき、基準ピッチの情報と、ピッチ情報で構成され、調律できる限界値を示す限界情報を読み出す設定処理と、
前記ピッチ抽出処理にて抽出したピッチが、前記限界情報を超えているかを判定する警告判定処理と、
前記ピッチ抽出処理にて抽出したピッチが前記限界情報を超えていると判定された場合に警告を行うかどうかを選択する警告選択処理と、
前記警告判定処理及び警告選択処理の結果に基づいて警告を行うかどうかの制御をする制御処理と、
前記制御処理にて警告を行うと判断された場合に警告を行う通知処理と、
抽出したピッチと、基準ピッチ情報との偏差を計算する偏差計算処理と、
前記偏差計算処理で計算された偏差の結果を表示する偏差表示処理と、
を備えた調律処理をコンピュータに実行させるためのプログラムを記憶した記録媒体。
【発明の詳細な説明】
【技術分野】
【０００１】
本発明は、楽器の調律、特に弦楽器の調律に用いる調律装置に関するものである。
【背景技術】
【０００２】
従来の調律装置では、初心者が弦楽器を調律するための補助として、音名やオクターブだけでなく、調律しようとしている弦の弦番号を表示させていた。さらに、被調律音の音高と目的音の音高との偏差を、その大きさに応じて弦番号の表示形態を点灯・点滅など変化させることで表示していた（例えば、特許文献１参照。）。
【特許文献１】特開平５−６６７６５号公報
【発明の開示】
【発明が解決しようとする課題】
【０００３】
従来の調律器においては、被調律音と目的音との差を示す偏差インジケータは通常±50セント程度であり、この範囲を超えた音の入力に対しては目的音より『高い』または『低い』という情報しかわからないことが多かった。このため、弦楽器のように張力の調整で音高の調整を行う楽器の場合、初心者が『低い』という表示に基づいてもっと高い音が出るように調整する際、ペグを思い切り巻いて弦の張力を一気に上げ、弦を切断してしまうこともあった。そこで、本発明の目的は、調律装置において、初心者が楽器、特に弦楽器を調律するための最適な補助手段を提供することである。
【課題を解決するための手段】
【０００４】
上記の課題を達成するために、本発明の調律装置では、調律する弦楽器を選択するための楽器選択手段と、調律したい音を弦楽器の弦番号として設定するための調律弦選択手段と、前記調律弦選択手段で選択された弦番号を表示するための調律弦表示手段と、弦楽器の種類ごとに調律する弦番号に対応する基準ピッチ情報、および調律できる限界値を示す限界情報を格納している記憶手段と、楽器の音を入力するための楽音入力手段と、前記楽音入力手段から入力された弦楽器の音のピッチを抽出するピッチ抽出手段と、前記楽器選択手段および前記調律弦選択手段によって選択された情報に基づき、基準ピッチ情報を読み出して設定する設定手段と、前記設定手段に格納された基準ピッチ情報と、前記ピッチ抽出手段にて抽出されたピッチ情報との偏差を計算する偏差計算手段と、前記限界情報に基づいて、弦を正しく調律できる限界値を超えているかを判定する警告判定手段と、前記偏差計算手段で計算された偏差の結果を表示する偏差表示手段と、前記警告判定手段にて警告の必要があると判定された場合に通知を行う通知手段と、を具備することを特徴とした。
【０００５】
ここで、本発明の前記限界情報はピッチ情報あるいは偏差情報であり、前記ピッチ検出手段にて検出されたピッチが前記限界情報を超えたとき、または前記偏差計算手段にて計算された偏差が前記限界情報を超えたときに警告表示を行う。
【０００６】
なお、前記限界情報を複数保持していた場合、使用する限界情報を選択するための限界情報選択手段を具備することを特徴とする。
【０００７】
本発明の調律装置では、前記調律弦表示手段の表示形態を変化させたり、また別の警告表示手段を設けたり、あるいは警告音発生手段を設けることによって前記限界情報を超えたことを報せるための警告表示を行う。
【０００８】
また、本発明の調律装置では、警告音発生手段によって警告音が発せられている間は、入力された音の偏差の表示を更新しないことを特徴とする。
【０００９】
さらに、本発明の調律装置では、前記限界情報を超えたときに、警告を行うことを選択するための警告選択手段を具備することを特徴とする。
【００１０】
また、本発明の調律装置を実現するための調律方法は、入力された弦楽器の音や楽音信号のピッチを抽出するステップと、楽器選択手段および調律弦選択手段によって選択された情報に基づき、基準ピッチの情報を読み出すステップと、抽出したピッチと、基準ピッチ情報との偏差を計算するステップと、弦を正しく調律できる限界値を超えているかを判定するステップと、計算された偏差の結果を表示するステップと、警告の必要があると判定された場合に警告を行うステップを含むことを特徴とする。
【００１１】
また、本発明の調律装置を実現するための記憶媒体は、入力された弦楽器の音や楽音信号のピッチを抽出するピッチ抽出処理と、楽器選択手段および調律弦選択手段によって選択された情報に基づき、基準ピッチの情報を読み出す設定処理と、抽出したピッチと、基準ピッチ情報との偏差を計算する偏差計算処理と、弦を正しく調律できる限界値を超えているかを判定する警告判定処理と、上記偏差計算処理で計算された偏差の結果を表示する偏差表示処理と、警告の必要があると判定された場合に警告を行う警告通知処理と、を備えた調律処理をコンピュータに実行させるためのプログラムを格納したことを特徴とする。
【発明の効果】
【００１２】
以上説明したように本発明は、調律装置において、初心者が弦を目的の音に調律するとき、あとどのくらいペグを巻けばよいのかの目安を知ることができ、また万が一ペグを巻きすぎてしまっても弦が切断されてしまうような危険な状態になる前に音や光による警告が行われるため、わかりやすく安全に弦楽器を調律することが可能となる。
【発明を実施するための最良の形態】
【００１３】
以下にこの発明の実施形態を図面に基づいて説明する。
【００１４】
図１は、本発明に関わる調律装置の実施形態の一例を示すブロック構成図である。調律する楽器の選択を行う楽器選択手段１、調律する楽器の弦番号の選択を行う調律弦選択手段２、入力信号の調律や表示等の処理等を主に行うマイコン３、楽器ごとの各弦の基準ピッチ情報および調律できる限界値を示す限界情報を格納している記憶手段４、楽器選択手段１および弦選択手段２からの情報を基に記憶手段４の情報を選択して設定する設定手段５、楽器の音をマイコン内に入力するための楽音入力手段６、入力された楽音からピッチを抽出するピッチ抽出手段７、抽出されたピッチと設定手段５の基準ピッチ情報を基に偏差を計算する偏差計算手段８、偏差や抽出ピッチと設定手段５の限界情報を基に弦の張力に関する警告の必要があるかどうかを判定する警告判定手段９、調律弦選択手段２で選択した弦番号を表示する調律弦表示手段１０、計算された偏差を表示する偏差表示手段１１、弦の張力に関する警告する通知手段１２で構成されている。
【００１５】
以下、実際の動作について説明する。まず楽器選択手段１によって調律する楽器を、調律弦選択手段２によって調律したい弦の弦番号を選択する。すると、調律弦表示手段１０にて弦番号の表示を行う。同時に、選択した結果に基づき、記憶手段４に格納されている基準ピッチ、および限界ピッチまたは限界偏差の情報が選択されて設定手段５に格納される。
【００１６】
図２は記憶手段４に格納されている情報の一例である。この例ではギターの６本の弦に対する、それぞれの基準ピッチ・限界ピッチ・限界偏差の情報を示している。例えば弦番号６Eを選択すると、基準ピッチ８２．４０７Ｈｚ、限界ピッチ９２．４９９Ｈｚ、限界偏差２００ＣＥＮＴという情報が設定手段５に格納される。
【００１７】
次に、楽音入力手段６より実際に楽器の音を入力すると、入力された楽音からピッチ抽出手段７にてピッチを抽出する。この抽出ピッチと先ほど設定手段５に格納された基準ピッチの値を偏差計算手段８で比較し、差を計算することで、入力された楽音の基準ピッチに対する偏差を求めることができる。例えば上記の弦番号６Eを選択していて、入力された楽音から抽出されたピッチが８３．１２４Ｈｚだった場合、偏差は１５ＣＥＮＴと計算される。そして、ここで求められた偏差、または抽出ピッチの情報から、弦が切断されるほどの張力になっているかどうかを警告判定手段９で行う。警告判定手段９の結果警告の必要があると判断された場合通知手段１２にて警告を行う。それ以外の場合は偏差表示手段１１にて偏差の表示のみ行う。
【００１８】
図３は楽音の入力から、偏差を用いた警告判定を行うまでの処理を示したフローチャートである。楽音が入力されると（Ｓ１０１）、楽音信号のピッチを抽出する（Ｓ１０２）。次に、設定された楽器および弦番号の情報を基に基準ピッチを読み出し（Ｓ１０３）、基準ピッチと抽出されたピッチとの偏差を計算する（Ｓ１０４）。ここで求められた偏差に対し、あらかじめ設定された楽器、および弦番号での限界偏差との比較を行う（Ｓ１０５）。求められた偏差が限界偏差より大きかった場合は警告表示を行い（Ｓ１０６）、それから偏差の表示を行う（Ｓ１０７）。求められた偏差が限界偏差以下だった場合は警告表示を行わず、偏差の表示のみ行う。上記の具体的な例では、求められた偏差が１５ＣＥＮＴだった場合限界偏差１００ＣＥＮＴより小さいため警告は行わないが、求められた偏差が１０２ＣＥＮＴだった場合、警告を行う。この警告判定は偏差だけでなく、抽出されたピッチと限界ピッチの比較によっても同様に行うことが可能である。例えば、抽出されたピッチが８３．１２４Ｈｚで、限界ピッチが９２．４９９Ｈｚであれば警告は行わないが、抽出されたピッチが限界ピッチ以上だった場合は警告を行う。
【００１９】
図４は本発明に関わる調律装置の別の実施形態の一例を示すブロック構成図である。この実施例は図１のブロック構成図に限界情報選択手段１３を加えたものである。限界情報選択手段１３では、記憶手段４において、１つの楽器の弦に対し複数の限界情報を持っていた場合、どちらを使うかを選択できるものである。
【００２０】
図５は本実施例において記憶手段４に格納されている限界情報の一例である。この例ではギターの６本の弦に対する、それぞれの基準ピッチ・限界偏差１・限界偏差２の情報を示している。例えば弦番号６Eが選択されているときに、限界情報選択手段１３において限界情報１を選択すると、限界偏差１の１００ＣＥＮＴという情報が設定手段５に格納される。この限界情報を基に、図１の実施例と同様に警告判定手段９にて警告するかどうかの判定を行い、必要があれば通知手段１２にて警告を行う。
【００２１】
図６は本発明に関わる調律装置の別の実施形態の一例を示すブロック構成図である。この実施例は図１のブロック構成図に警告選択手段１４、表示制御手段１５を加えたものである。また、通知手段１２を具体的に警告表示手段１６と警告発音手段１７にとしたものである。この例では、警告を行うかの選択を警告選択手段１４にて行う。警告判定手段９にて警告を行うかどうかの判定を行った後、表示制御手段１５にて、警告選択手段１４の結果に基づいて実際に警告表示を行うかどうかの制御を行う。すなわち警告表示を行うと判定された場合でも、警告選択手段１４にて警告は行わないと設定していれば、警告は行われない。警告の手段としての警告表示手段１４は、例えば警告するためだけに設置したＬＥＤの点灯や、ＬＣＤによる表示、さらには調律弦表示手段や偏差表示手段の表示を点滅させるなどである。また、警告発音手段１７とは、警告音を発するためのスピーカなどである。
【００２２】
図７は本発明に関わる調律装置の実施形態の一例の正面図である。本体ケース１８には、電源スイッチ１９、楽器選択スイッチ２０、弦番号選択スイッチ２１、マイク２２、弦番号表示２３、楽器表示２４、メータ２５を配置する。まず、電源スイッチ１９にて電源をオンにし、楽器スイッチ２０にて調律する楽器を、弦番号選択スイッチ２１にて調律する弦番号を選択すると、楽器表示２４にて選択された楽器を、弦番号表示２３にて選択された弦番号をそれぞれ表示する。次に、マイク２２から楽音を入力すると、図３のフローチャートのようにピッチ抽出・偏差計算を行い、更に警告を行うかの判定を行う。その結果、偏差はメータ２５にて表示される。また、警告の必要がある場合は弦番号表示２３の表示が点滅することで行われる。
【００２３】
図８は本発明に関わる調律装置の実施形態の別の一例の正面図である。図７の構成に対し、楽器選択スイッチ２０が楽器表示２４の役割を同時に果たしている。また、偏差の表示にはＬＥＤインジケータ２６を用い、加えて警告限度選択スイッチ２７も配置している。この例では楽音の入力から偏差計算までは図７の例と同様に行われるが、警告判定については図４のように限界情報を選択してから判定する。警告限度選択スイッチ２７で限度の度合いを選択すると、図４の限界情報選択手段１３のように記憶手段４の限界情報選択を行い、その結果に基づいて警告判定を行う。そして、偏差をＬＥＤインジケータ２６にて行い、警告の必要がある場合はＬＥＤインジケータの一部、一番高いという情報を表示するＬＥＤが点滅することで行われる。このように、弦の状態や演奏者の技量によって警告を行う限度の度合いを選択することが可能である。
【００２４】
図９は本発明に関わる調律装置の実施形態の別の一例の正面図である。図７の構成に加えて、警告選択スイッチ２８、およびＬＥＤ２９、スピーカ３０を配置している。この例では図５の警告選択手段１４の動作を警告選択スイッチ２８で行う。すなわち、警告選択スイッチ２８で警告を行うと設定したときのみ、警告の必要があった場合に警告を行う。警告の仕方は例えばＬＥＤ２９の点灯やスピーカ３０からの警告音発音によって行われる。
【００２５】
ここで、図１０は断続的な警告音を発音したときの偏差表示処理オン／オフの切り替えタイミングを示した図である。警告音が発音されていないときは通常通り計算された偏差の表示を行う。一方、警告音が発音されている間は、発音された警告音も楽音と同時にマイク２２で入力されてしまうため、誤ったピッチ・偏差の抽出が行われ、偏差表示が正しく行われない場合がある。このため、警告音発音中は偏差の表示を更新しないことで、正しい表示を維持することが可能となる。
【００２６】
上記の実施例のように、楽器や弦番号、さらには弦の状態や演奏者の技量による警告の仕方を指定することで、調律装置によって弦を巻きすぎたと判断した場合の警告を適切に行い、弦を切断することなく安全確実な調律を行うことが可能となるのである。
【００２７】
また、上記実施形態において説明した制御を行うプログラム等をインストールしたパーソナルコンピュータ、ハンドヘルドコンピュータ等によって実施してもよい。上記プログラム等のデータの配布方法としては、ＲＯＭなどの不揮発性メモリに予め格納しておいてもよいし、通信回線を通じて配布してもよい。
【図面の簡単な説明】
【００２８】
【図１】本発明を用いた調律装置の実施形態の一例を表すブロック図である。
【図２】弦楽器の弦番号に対する基準ピッチ、および調律限界情報のテーブルの一例を示す図である。
【図３】楽音の入力から、偏差を用いた警告判定を行うまでの処理を示したフローチャートである。
【図４】本発明を用いた調律装置の実施形態の一例を表すブロック図である。
【図５】弦楽器の弦番号に対する基準ピッチ、および調律限界情報のテーブルの一例を示す図である。
【図６】本発明を用いた調律装置の実施形態の一例を表すブロック図である。
【図７】本発明を用いた調律装置の実施形態の一例を表す外観図である。
【図８】本発明を用いた調律装置の実施形態の一例を表す外観図である。
【図９】本発明を用いた調律装置の実施形態の一例を表す外観図である。
【図１０】警告音発音時の偏差表示処理オン／オフ切り替えタイミングを示す図である。
【符号の説明】
【００２９】
１  楽器選択手段
２  弦選択手段
３  マイコン
４  記憶手段
５  設定手段
６  楽音入力手段
７  ピッチ抽出手段
８  偏差計算手段
９  警告判定手段
１０  調律弦表示手段
１１  偏差表示手段
１２  通知手段
１３  限界情報選択手段
１４  警告選択手段
１５  表示制御手段
１６  警告表示手段
１７  警告発音手段
１８  本体ケース
１９  電源スイッチ
２０  楽器選択スイッチ
２１  弦番号選択スイッチ
２２  マイク
２３  弦番号表示
２４  楽器表示
２５  メータ
２６  ＬＥＤインジケータ
２７  警告限度選択スイッチ
２８  警告選択スイッチ
２９  ＬＥＤ
３０  スピーカ
【図１】
0005096833.tif 000002
【図２】
0005096833.tif 000003
【図３】
0005096833.tif 000004
【図４】
0005096833.tif 000005
【図５】
0005096833.tif 000006
【図６】
0005096833.tif 000007
【図７】
0005096833.tif 000008
【図８】
0005096833.tif 000009
【図９】
0005096833.tif 000010
【図１０】
0005096833.tif 000011